(57)【要約】【課題】ダクトの接続を容易かつ適切に行えるようにする。【解決手段】一方のダクト３の端部に他方のダクト４の端部を内嵌する状態でそれらダクト３，４を接続する構成にし、ダクト固定用のねじ止め部を形成する凹部４ａを、ダクト長手方向に沿う列状配置で前記他方ダクト４の外面に形成してある配管用又は配線用化粧ダクトの接続構造であって、前記他方ダクト４をダクト幅方向において前記一方ダクト３に対する適正接続位置に位置させた状態で前記凹部４ａに係合し、その係合により両ダクト３，４のダクト幅方向への相対移動を規制する突起部３ｂを前記一方ダクト３の内面に形成してある。【選択図】　　　　図４
2004019824.tif 000002
【特許請求の範囲】
【請求項１】
一方のダクトの端部に他方のダクトの端部を内嵌する状態でそれらダクトを接続する構成にし、
ダクト固定用のねじ止め部を形成する凹部を、ダクト長手方向に沿う列状配置で前記他方ダクトの外面に形成してある配管用又は配線用化粧ダクトの接続構造であって、
前記他方ダクトをダクト幅方向において前記一方ダクトに対する適正接続位置に位置させた状態で前記凹部に係合し、その係合により両ダクトのダクト幅方向への相対移動を規制する突起部を前記一方ダクトの内面に形成してある配管用又は配線用化粧ダクトの接続構造。
【請求項２】
前記凹部と前記突起部とを、それらの係合状態において前記一方ダクトと前記他方ダクトとのダクト長手方向への相対移動を許す構造にしてある請求項１記載の配管用又は配線用化粧ダクトの接続構造。
【請求項３】
前記一方ダクトと前記他方ダクトとが、ダクト周方向の一部において他方ダクトの外面を一方ダクトの内面に接触させる偏心配置で一方ダクトの端部に他方ダクトの端部を内嵌して接続する異径ダクトであるのに対し、
前記凹部及び前記突起部をダクト周方向において前記偏心配置における一方ダクトと他方ダクトとの接触部に配置するとともに、
前記偏心配置において一方ダクトの内面と他方ダクトの外面との間に形成される隙間を閉塞する異径接続部カバーを設け、
この異径接続部カバーを、ダクト長手方向視の形状がＣ字状形状で、そのＣ字状形状の開口部に前記偏心配置における一方ダクトと他方ダクトとの接触部を位置させた状態で前記隙間の形成部に装着する構成にし、
その装着状態において、ダクト長手方向における一端部が他方ダクトに対して緊密に外嵌し、かつ、ダクト長手方向における他端部に対して一方ダクトが緊密に外嵌するテーパー構造にしてある請求項１又は２記載の配管用又は配線用化粧ダクトの接続構造。
【発明の詳細な説明】
【０００１】
【発明の属する技術分野】
本発明は、冷媒管やドレン管などの各種管を覆う配管用化粧ダクト、又は、各種ケーブルを覆う配線用化粧ダクトの施設において、接続される二つの化粧ダクトの接続構造に関し、詳しくは、一方のダクトの端部に他方のダクトの端部を内嵌する状態でそれらダクトを接続する構成にし、ダクト固定用のねじ止め部を形成する凹部を、ダクト長手方向に沿う列状配置で前記他方ダクトの外面に形成してある配管用又は配線用化粧ダクトの接続構造に関する。
【０００２】
【従来の技術】
従来、この種の化粧ダクトのダクトどうしの接続については、図１３，１４に示すように、縦割りの２分割構造になっている一方ダクト３の底側分割部３Ａをねじ７により壁１などに取り付けた後、その底側分割部３Ａに対し他方ダクト４の底側分割部４Ａを内嵌状態にして位置合わせし、そして、その位置合わせした他方ダクト４の底側分割部４Ａを手により保持した状態で、その底側分割部４Ａにおける上記凹部４ａの形成箇所にねじ７を立て込むことで、その他方ダクト４の底側分割部４Ａを壁１　などの固定部に固定し、その後、それら他方ダクト４の底側分割部４Ａ及び一方ダクト３の底側分割部３Ａのそれぞれに対し蓋側分割部３Ｂ，４Ｂを装着して一方ダクト３と他方ダクト４とを接続していた。
【０００３】
【発明が解決しようとする課題】
しかし従来、上記の如く位置合わせした他方ダクト４の底側分割部４Ａを手によりその位置に適切に保持した状態を安定的に保って、その他方ダクト４の底側分割部４Ａに対しねじ止めを施すことが難しく、この為、作業能率が低くなるとともに、他方ダクト４が一方ダクト３に対し傾斜した状態で取り付けられて両ダクトの接続が不適切になることもあった。
【０００４】
この実情に鑑み、本発明の主たる課題は、合理的な構造をもって上記問題を効果的に解消する点にある。
【０００５】
【課題を解決するための手段】
〔１〕本願の請求項１に係る発明の特徴構成は、
一方のダクトの端部に他方のダクトの端部を内嵌する状態でそれらダクトを接続する構成にし、
ダクト固定用のねじ止め部を形成する凹部を、ダクト長手方向に沿う列状配置で前記他方ダクトの外面に形成してある配管用又は配線用化粧ダクトの接続構造において、
前記他方ダクトをダクト幅方向において前記一方ダクトに対する適正接続位置に位置させた状態で前記凹部に係合し、その係合により両ダクトのダクト幅方向への相対移動を規制する突起部を前記一方ダクトの内面に形成してある点にある。
【０００６】
つまり、この構成によれば、一方ダクトと他方ダクトとの接続作業において、一方ダクトの端部に他方ダクトの端部を内嵌する状態にする際、一方ダクトの内面の突起部に対し、他方ダクトの外面に形成されている凹部を係合させることで、両ダクトのダクト幅方向への相対移動が規制される。
従って、それらダクトの接続の際、一方ダクトに対して位置合わせして他方ダクトの保持が容易になって作業能率が向上し、また、他方ダクトを一方ダクトに対する適正接続位置に一層確実かつ安定的に保持した状態で他方ダクトをねじ止め固定することができるので、他方ダクトが一方ダクトに対して傾斜した状態で取り付けられる等の接続不良も効果的に防止することができる。
【０００７】
しかも、ダクト固定用のねじ止め部を形成するために他方ダクトの外面に元々形成されている凹部を利用して、ダクト接続時における両ダクトのダクト幅方向への相対移動を規制するから、改良が容易でコスト的にも有利である。
【０００８】
〔２〕請求項２に係る発明は、請求項１に係る発明の実施に好適な実施形態を特定するものであり、その特徴は、
前記凹部と前記突起部とを、それらの係合状態において前記一方ダクトと前記他方ダクトとのダクト長手方向への相対移動を許す構造にしてある点にある。
【０００９】
つまり、この構成によれば、一方ダクトの端部に他方ダクトの端部を内嵌させて一方ダクトの突起部と他方ダクトの凹部とを係合させた状態においても、両ダクトの長手方向での相対移動が許容されることから、換言すれば、突起部と凹部との係合により両ダクトのダクト長手方向での位置合わせ作業が容易になり、これによりダクト接続作業を一層容易にすることができる。
【００１０】
また、他方ダクトを交換するときに、一方ダクトの蓋側分割部を取り外すことなく、他方ダクトだけをダクト長手方向に摺動移動させて交換するといったことも可能となり、これらの点でも作業の容易化、及び、作業能率の向上を効果的に達成できる。
【００１１】
〔３〕請求項３に係る発明は、請求項１又は２に係る発明の実施に好適な実施形態を特定するものであり、その特徴は、
前記一方ダクトと前記他方ダクトとが、ダクト周方向の一部において他方ダクトの外面を一方ダクトの内面に接触させる偏心配置で一方ダクトの端部に他方ダクトの端部を内嵌して接続する異径ダクトであるのに対し、
前記凹部及び前記突起部をダクト周方向において前記偏心配置における一方ダクトと他方ダクトとの接触部に配置するとともに、
前記偏心配置において一方ダクトの内面と他方ダクトの外面との間に形成される隙間を閉塞する異径接続部カバーを設け、
この異径接続部カバーを、ダクト長手方向視の形状がＣ字状形状で、そのＣ字状形状の開口部に前記偏心配置における一方ダクトと他方ダクトとの接触部を位置させた状態で前記隙間の形成部に装着する構成にし、
その装着状態において、ダクト長手方向における一端部が他方ダクトに対して緊密に外嵌し、かつ、ダクト長手方向における他端部に対して一方ダクトが緊密に外嵌するテーパー構造にしてある点にある。
【００１２】
つまり、この構成によれば、ダクト周方向において上記接触部以外の部分で他方ダクトの外面と一方ダクトの内面との間に生じる隙間（すなわち、ダクト長手方向視でＣ字状の隙間）を、それに合致させたダクト長手方向視におけるＣ字状形状、及び、ダクト長手方向でのテーパー形状の異径接続部カバーをもって閉塞し、これにより、異径ダクトの接続部において口径差による隙間が残存するのを回避する。
【００１３】
そして、上記構成の異径接続部カバーであれば、ダクト周方向の一部における一方ダクト内面と他方ダクト外面との接触部をダクト長手方向視におけるＣ字状形状の開口部に位置させる構造（言わば底側分割部を有しない単一構造）であって、底側分割部を壁に固定するための構造や蓋側分割部を底側分割部に装着するための構造などの付加構造が不要な極めて簡単な構造になるから、接続対象の一方ダクトや他方ダクトと同様の２分割構造を採る従来の異径ダクト継手に比べ、その取り付け作業を極めて容易にすることができて施工能率を効果的に高めることができ、また、製作コストも効果的に低減することができる。
【００１４】
【発明の実施の形態】
〔第１実施形態〕
図１２は配管用化粧ダクトの施設例を示し、この例では、建屋外壁１の外面に沿わせて施設した冷媒管，ドレン管，アース線（以下、これらを管線２と称す）を束ねた状態にして化粧ダクト３，４，５により覆ってある。
【００１５】
化粧ダクトとしては、外壁外面における配管貫通孔６の形成部に配置した貫通孔用のエルボダクト３、そのエルボダクト３に接続した直管ダクト４、直管ダクト４どうしを接続するソケットダクト５の３種を用いている。
【００１６】
また本例では、エルボダクト３及びソケットダクト５の夫々に、大小径２種の直管ダクト４の接続が可能な大小径兼用仕様のもの（換言すれば、大径のエルボダクト及び大径のソケットダクト）を用い、直管ダクト４には小径仕様のものを用いている。
【００１７】
上記３種の化粧ダクト３〜５はいずれも、外壁１の外面に対してねじ７により連結固定する底側分割部３Ａ〜５Ａと、その底側分割部３Ａ〜５Ａに管線２を収納した状態で底側分割部３Ａ〜５Ａに装着する蓋側分割部３Ｂ〜５Ｂとの縦割りの２分割構造にしてあり、エルボダクト３の蓋側分割部３Ｂは、図３に示すように、その装着状態において底側分割部３Ａと外壁１との両方に対しねじ７により連結固定し、ソケットダクト５の蓋側分割部５Ｂは、その装着状態において底側分割部５Ａに対しねじ７により連結固定する構造にしてある。
【００１８】
また、図３が示すように、エルボダクト３の蓋側分割部３Ｂの上端部、エルボダクト３の底側分割部３Ａ、及び、直管ダクト４の底側分割部４Ａは、ねじ７によって外壁１に固定されていて、そのうち、直管ダクト４の底側分割部４Ａはその外壁１に対する外面のダクト長手方向に、ダクト固定用のねじ止め部を形成する凹部であるねじ止め溝４ａが形成されていて、その弾性力をもってねじ止め固定を確実なものにしている。
【００１９】
一方、図２，図３に示すように、直管ダクト４の蓋側分割部４Ｂには、その端部に連結用孔８を形成してあり、エルボダクト３と直管ダクト４との接続においては、エルボダクト蓋側分割部３Ｂの装着の際に、そのエルボダクト蓋側分割部３Ｂの端部内方側に設けたピン９を直管ダクト蓋側分割部４Ｂの連結用孔８に係合させることで、また同様に、ソケットダクト５と直管ダクト４との接続においては、ソケットダクト蓋側分割部５Ｂの装着の際に、そのソケットダクト蓋側分割部５Ｂの端部内方側に設けたピン（図示せず）を直管ダクト蓋側分割部４Ｂの連結用孔８に係合させることで、夫々、直管ダクト蓋側分割部４Ｂに対してズレ止めを施す。
【００２０】
大小径兼用仕様のエルボダクト３と小径仕様の直管ダクト４との接続については、大小径兼用仕様のエルボダクト３に大径仕様の直管ダクトを接続する場合と同様、図２〜図４に示すように、大小径兼用仕様のエルボダクト３（以下、大径ダクトと称す）の端部に対し小径仕様の直管ダクト４（以下、小径ダクトと称す）の端部を挿入した接続形態を採るが、口径差がある大径ダクト３と小径ダクト４とを接続する異径接続であることに対し、ダクト周方向における外壁側の一部で小径ダクト４の外面が大径ダクト３の内面に接触する偏心配置にして、大径ダクト３の端部に小径ダクト４の端部を挿入した接続形態を採るようにしてある。
【００２１】
大径ダクト３の底側分割部３Ａの内面には、小径ダクト４の挿入を所定の位置で規制する挿入位置規定部として接当部３ａが形成されていて、その接当部３ａから大径ダクト３の長手方向小径ダクト挿入口側でダクト幅方向中央位置の２箇所に、小径ダクト４の底側分割部４Ａの外面のねじ止め溝４ａと係合して小径ダクト４のダクト幅方向への移動を規制する突起部であるズレ止め突起３ｂが形成されている。
【００２２】
そして、大径ダクト３と小径ダクト４との重合部である異径接続部には、大径ダクト３の内面と小径ダクト４の外面との間に生じるダクト長手方向視でＣ字状の隙間Ｓを閉塞する異径接続部カバー１０を装着する。
【００２３】
つまり、大径ダクト３の底側分割部３Ａの内面のズレ止め突起３ｂに対し、小径ダクト４の底側分割部４Ａの外面に形成されているねじ止め溝４ａを係合させることで、両ダクトのダクト幅方向への相対移動が規制され、従って、それらダクトの接続の際、大径ダクト３の底側分割部３Ａに対して位置合わせしての小径ダクト４の底側分割部４Ａの保持が容易になって作業能率が向上するとともに、大径ダクト３と小径ダクト４との適正接続位置に一層確実かつ安定的に保持した状態で小径ダクト４の底側分割部４Ａを外壁１ねじ止め固定することができるので、小径ダクト４が大径ダクト３に対して傾斜した状態で取り付けられる等の接続不良も効果的に防止することができる。
【００２４】
異径接続部カバー１０は、図２〜図６に示すように、ダクト長手方向視において上記隙間Ｓの形状に合致するＣ字状形状を有し、そのＣ字状形状の開口部１０ａに大径ダクト３の内面と小径ダクト４の外面との接触部Ｔを位置させた装着状態において、小径ダクト側の端部１０ｂが小径ダクト４に対して緊密に外嵌し、かつ、大径ダクト側の端部１０ｃに対して大径ダクト３が緊密に外嵌するテーパー構造にしてある。
【００２５】
更に、異径接続部カバー１０の大径ダクト側の端部１０ｃには、大径ダクト３の内面に形成された接当部３ａとのダクト長手方向での接当により、ダクト長手方向におけるカバー装着位置を、装着時において規定する装着位置規定部としての一対の突片１３が形成されていて、大径ダクト３の蓋側分割部３Ｂを装着する前の段階で、異径接続部カバー１０を径方向に移動させて装着する際、異径接続部カバー１０の適正な装着位置に装着でき、よって、大径ダクト側係合部としてのピン９と第１カバー側係合部１１とを確実、かつ、容易に係合させることができる。
【００２６】
この異径接続部カバー１０は小径ダクト４に外嵌させた状態でのダクト長手方向への摺接移動が可能であり、また、各ダクト３〜５と同様の合成樹脂製で、その材質及びＣ字状形状から生じる弾性により、装着状態において小径ダクト側端部１０ｂが小径ダクト４を弾性的に締め付ける状態で小径ダクト４に外嵌するようにしてあり、さらには、図７（イ）に示すように、Ｃ字状形状における開口部１０ａの幅寸法が小径ダクト４の幅寸法よりも小さい自然状態から、開口部１０ａの幅寸法が小径ダクト４の幅寸法よりも大きくなる拡口状態までの弾性変形を可能にしてある。
【００２７】
そしてまた、この異径接続部カバー１０の大径ダクト側端部１０ｃで開口部１０ａとは反対側の箇所には、カバー装着状態において大径ダクト側の前記ピン９（大径ダクト側係合部）と係合させるカバー側係合部１１を設けてあり、この係合により異径接続部カバー１０のダクト長手方向への移動を規制するようにしてある。
【００２８】
上記カバー側係合部１１は、大径ダクト側に突出する２本の突片１１ａをもって形成してあり、それら突片１１ａどうしの間を大径ダクト側ピン９の挿通部とするのに対し、各突片１１ａの先端部にはピン９に対して係合させる所謂返り１１ｂを設けている。
【００２９】
異径接続部カバー１０は上記の異径接続部に対し２種の装着形態をもって装着することができ、その通常の装着形態としては、図２に示すように、大径ダクト３の蓋側分割部３Ｂを装着する前の段階で、異径接続部カバー１０のＣ字状形状における中央部に対し小径ダクト４の端部を相対的に挿通するようにして異径接続部カバー１０を装着位置に配置し、その後、大径ダクト側ピン９のカバー側係合部１１に対する係合と小径ダクト側連結用孔８への係入とを伴う状態で大径ダクト３の蓋側分割部３Ｂを底部側分割部３Ａに装着するようにして、図３に示す状態を得る。
【００３０】
もう一つの装着形態は、図７（イ），（ロ）に示すように、大径ダクト３の蓋側分割部３Ｂを装着した後の段階で、異径接続部カバー１０を前記拡口状態に弾性変形させて小径ダクト４を相対的にＣ字状形状の開口部１０ａからＣ字状形状の内部へ入れるようにして異径接続部カバー１０を異径接続部から外れた箇所で小径ダクト４に外嵌させ、そして、その異径接続部カバー１０を小径ダクト４に対する外嵌状態のままで大径ダクト３側に摺接移動させて、異径接続部カバー１０の突片１３が大径ダクト３の内面の接当部３ａに接当して挿入が規制されるまで大径ダクト３の端部にもぐり込ませる状態で異径接続部に装着する。
【００３１】
なお、後者の摺接移動によるカバー装着では、異径接続部の側へのカバー１０の摺接移動に伴い、小径ダクト側連結用孔８に対して既に係入している大径ダクト側ピン９がカバー側係合部１１における両突片１１ａの先端どうしの間から両突片１１ａ間に侵入する形態で、大径ダクト側ピン９とカバー側係合部１１とが自動的に係合状態になる。
【００３２】
以上、本実施形態では、一方のダクトの端部に他方のダクトの端部を内嵌する状態でそれらダクトを接続するダクト構造の一例として、大小径兼用仕様のエルボダクト３と小径仕様の直管ダクト４との接続構造について説明したが、大小径兼用仕様のソケットダクト５と小径仕様の直管ダクト４との接続についても、上記の異径接続部カバー１０を用いた同様の接続形態を採る。
【００３３】
〔第２実施形態〕
図８〜図１１は、第２実施形態を示し、この第２実施形態において、大径ダクト側係合部としてのピン９は、大径ダクト３に対しそれと口径が適合する本来の接続対象ダクト（大径仕様のダクト）を接続する際に、その接続対象ダクトの連結用孔に係合するに足りるだけの短尺なピンで、小径ダクト４の連結用孔８には届かない長さのものである。
【００３４】
これに対し、本第２実施形態の化粧ダクトの接続構造における異径接続部カバー１０は、カバー装着状態においてダクト側係合部との係合によりダクト長手方向へのカバー移動を規制するカバー側係合部として、第１実施形態と同様の２本の突片１１ａからなって、大径ダクト側係合部としてのピン９と係合させる第１カバー側係合部１１と、小径ダクト側係合部としての連結用孔８と係合させる第２カバー側係合部１２とを備えている。
【００３５】
第２カバー側係合部１２は、第１カバー側係合部１１のカバー径方向内方に形成されていて、大径ダクト側に延びる直杆状の掛止杆１２ａと、その先端に形成されている掛止部１２ｂと、掛止杆１２ａとカバー内面との間に形成されている掛止杆１２ａを補強する補強リブ１２ｃとから構成されている。
【００３６】
すなわち、この構成において、図１０に示すように、大径ダクト３の蓋側分割部３Ｂを装着する前の段階で、異径接続部カバー１０のＣ字状形状における中央部に対し小径ダクト４の端部を相対的に挿通するようにして、かつ、掛止部１２ｂが小径ダクト４の連結用孔８に係入するようにして異径接続部カバー１０を装着位置に配置し、その後、大径ダクト側の短尺ピン９の第１カバー側係合部１１に対する係合を伴う状態で大径ダクト３の蓋側分割部３Ｂを底側分割部３Ａに装着するようにすると、連結用孔８に対して係入状態にある掛止部１２ｂに大径ダクト側のピン９が接当し、これにより、掛止部１２ｂに対する抜け止めが施されて、小径ダクト側係合部としての連結用孔８と第２カバー側係合部１２との係合状態が固定化される。
【００３７】
そして、このように大径ダクト側係合部としてのピン９と第１カバー側係合部１１とが係合し、かつ、小径ダクト側係合部としての連結用孔８と第２カバー側係合部１２とが係合することにより、短尺ピン９を用いながらも、異径接続部カバー１０のダクト長手方向への移動の規制とともに、大径ダクト３と小径ダクト４とのダクト長手方向での相対移動の規制が実現される。
【００３８】
〔別の実施形態〕
次に別実施形態を列記する。
上記第１及び第２実施形態では、一方ダクトである大径ダクト３の底側分割部３Ａの内面に形成された突起部であるズレ止め突起３ｂがダクト幅方向中央位置でダクト長手方向に２箇所形成されているが、他方ダクトである小径ダクト４の底側分割部４Ａに形成されているダクト固定用のねじ止め部を形成する凹部であるねじ止め溝４ａの形成位置や数によって、ズレ止め突起３ｂのダクト幅方向位置や数が変更されてもよい。
【００３９】
異径接続部カバー１０のカバー側係合部の具体的構造は種々の変更が可能である。
【図面の簡単な説明】
【図１】第１実施形態の大径ダクトの底側分割部の平面図
【図２】化粧ダクト異径接続部の分解斜視図
【図３】化粧ダクト異径接続部の縦断断面図
【図４】化粧ダクト異径接続部の横断面図
【図５】異径接続部カバーの平面図
【図６】異径接続部カバーの側面視断面図
【図７】カバー装着形態を説明する斜視図
【図８】第２実施形態の異径接続部カバーの側面視断面図
【図９】第２実施形態の異径接続部カバーの平面図
【図１０】第２実施形態の化粧ダクト異径接続部の分解斜視図
【図１１】第２実施形態の化粧ダクト異径接続部の縦断断面図
【図１２】化粧カバーの施設例を示す斜視図
【図１３】従来例を示す化粧ダクト異径接続部の縦断断面図
【図１４】従来例を示す異径ダクト継手の分解斜視図
【符号の説明】
３　　　　一方ダクト
３ｂ　　　突起部
４　　　　他方ダクト
４ａ　　　凹部
１０　　　異径接続部カバー
１０ａ　　開口部
１０ｂ　　一端部
１０ｃ　　他端部
Ｓ　　　　隙間
Ｔ　　　　ダクト接触部
【図１】
2004019824.tif 000003
【図２】
2004019824.tif 000004
【図３】
2004019824.tif 000005
【図４】
2004019824.tif 000006
【図５】
2004019824.tif 000007
【図６】
2004019824.tif 000008
【図７】
2004019824.tif 000009
【図８】
2004019824.tif 000010
【図９】
2004019824.tif 000011
【図１０】
2004019824.tif 000012
【図１１】
2004019824.tif 000013
【図１２】
2004019824.tif 000014
【図１３】
2004019824.tif 000015
【図１４】
2004019824.tif 000016